(57)【要約】【課題】ユニキャスト・アドレス／マルチキャスト・アドレス、ならびに音声パスのスタティック・パス／ダイナミック・パスの切替え選択が可能で、回線帯域を抑制し、音声パスの帯域を有効利用できるとともに、経済的で拡張性の高い一斉放送システムを提供する。【解決手段】送信系を構成する放送装置２、ＩＰ放送装置３および管理端末４と、網監視装置５と、一斉放送管理装置６と、受信系を構成するＩＰ放送装置７ａ〜７ｃおよび放送装置８ａ〜８ｃと、ＩＰ（Ｉｎｔｅｒｎｅｔ  Ｐｒｏｔｏｃｏｌ）網ＮＷとから構築し、ＩＰ放送装置３，網監視装置５，一斉放送管理装置６，ＩＰ放送装置７ａ〜７ｃは、それぞれルータを介してＩＰ（Ｉｎｔｅｒｎｅｔ  Ｐｒｏｔｏｃｏｌ）網ＮＷに接続する。【選択図】  図２
2004241994.tif 000002
【特許請求の範囲】
【請求項１】
一斉放送用の音声信号をＩＰパケットに変換してＩＰ網に送信する送信用ＩＰ放送装置と、前記ＩＰ網からのＩＰパケットを受信し、音声信号に変換する複数の受信用ＩＰ放送装置と、ＩＰパケットを伝送する前記ＩＰ網と、からなる一斉放送システムであって、
前記送信用ＩＰ放送装置は、設定された構成情報に基づいてユニキャスト・アドレスまたはマルチキャスト・アドレスを設定したＩＰパケットを前記ＩＰ網に送信し、
前記複数の受信用ＩＰ放送装置は、それぞれ前記ＩＰ網から自装置宛てユニキャスト・アドレスが設定されたＩＰパケットまたはマルチキャスト・アドレスが設定されたＩＰパケットを受信することを特徴とする一斉放送システム。
【請求項２】
一斉放送用の音声信号をＩＰパケットに変換してＩＰ網に送信する送信用ＩＰ放送装置と、前記ＩＰ網からのＩＰパケットを受信し、音声信号に変換する複数の受信用ＩＰ放送装置と、前記送信用ＩＰ放送装置と前記受信用ＩＰ放送装置との間の音声パスを制御する一斉放送管理装置と、ＩＰパケットを伝送する前記ＩＰ網と、からなる一斉放送システムであって、
前記送信用ＩＰ放送装置は、同一音源の音声パケットにユニキャスト・アドレスを設定した複数のＩＰパケットを前記ＩＰ網に送信し、
前記複数の受信用ＩＰ放送装置は、前記ＩＰ網からの自装置宛てＩＰパケットを受信し、
前記一斉放送管理装置は、一斉放送用の音声パスを設定する構成情報を出力し、前記送信用ＩＰ放送装置と前記受信用ＩＰ放送装置相互間の音声パスの接続／切断をダイナミックに制御することを特徴とする一斉放送システム。
【請求項３】
一斉放送用の音声信号をＩＰパケットに変換してＩＰ網に送信する送信用ＩＰ放送装置と、前記ＩＰ網からのＩＰパケットを受信し、音声信号に変換する複数の受信用ＩＰ放送装置と、前記送信用ＩＰ放送装置と前記受信用ＩＰ放送装置との間の音声パスを制御する一斉放送管理装置と、ＩＰパケットを伝送する前記ＩＰ網と、からなる一斉放送システムであって、
前記送信用ＩＰ放送装置は、同一音源の音声パケットにマルチキャスト・アドレスを設定した単一のＩＰパケットを前記ＩＰ網に送信し、
前記複数の受信用ＩＰ放送装置は、前記ＩＰ網からの単一のＩＰパケットを受信し、
前記一斉放送管理装置は、一斉放送用の音声パスを設定する構成情報を出力し、前記送信用ＩＰ放送装置と前記受信用ＩＰ放送装置相互間の音声パスの接続をスタティックに制御することを特徴とする一斉放送システム。
【請求項４】
一斉放送用の音声信号をＩＰパケットに変換してＩＰ網に送信する送信用ＩＰ放送装置と、前記ＩＰ網からのＩＰパケットを受信し、音声信号に変換する複数の受信用ＩＰ放送装置と、前記送信用ＩＰ放送装置と前記受信用ＩＰ放送装置との間の音声パスを制御する一斉放送管理装置と、ＩＰパケットを伝送する前記ＩＰ網と、からなる一斉放送システムであって、
前記送信用ＩＰ放送装置は、同一音源の音声パケットにマルチキャスト・アドレスを設定した単一のＩＰパケットを前記ＩＰ網に送信し、
前記複数の受信用ＩＰ放送装置は、前記ＩＰ網からの単一のＩＰパケットを受信し、
前記一斉放送管理装置は、一斉放送用の音声パスを設定する構成情報を出力し、前記送信用ＩＰ放送装置と前記受信用ＩＰ放送装置相互間の音声パスの接続／切断をダイナミックに制御することを特徴とする一斉放送システム。
【請求項５】
一斉放送用の音声パケットにアドレスを設定したＩＰパケットをＩＰ網に送信、または前記ＩＰ網からのＩＰパケットを受信するＩＰ放送装置であって、
同一音源の音声パケットにユニキャスト・アドレスを設定し、複数のＩＰパケットを前記ＩＰ網に送信することを特徴とするＩＰ放送装置。
【請求項６】
同一音源の音声パケットにマルチキャスト・アドレスを設定し、単一のＩＰパケットを前記ＩＰ網に送信することを特徴とする請求項５記載のＩＰ放送装置。
【請求項７】
一斉放送管理装置から供給される一斉放送用の音声パスを設定する構成情報に基づいてＩＰ装置相互間に音声パスをスタティックに接続することを特徴とする請求項５または請求項６記載のＩＰ放送装置。
【請求項８】
一斉放送管理装置から供給される一斉放送用の音声パスを設定する構成情報に基づいてＩＰ装置相互間に音声パスをダイナミックに接続することを特徴とする請求項５または請求項６記載のＩＰ放送装置。
【請求項９】
前記ＩＰ放送装置は、ＬＡＮとのインタフェースを取るＬＡＮインタフェース手段、ＴＣＰプロトコルの生成／解析処理をするプロトコル処理手段、音声パスのオープン／クローズの制御をするとともに、データのゆらぎを制御するＲＴＰ／ジッタ制御手段、一斉放送管理装置とのインタフェースを取る一斉放送制御手段、音声データを圧縮／伸長する音声圧縮・伸長手段、音声パスをスタティックに設定するＭＭＩ手段を備えたことを特徴とする請求項５、請求項６、請求項７または請求項８記載のＩＰ放送装置。
【発明の詳細な説明】
【０００１】
【発明の属する技術分野】
本発明はインターネット、ＩＰ−ＶＰＮまたは広域ＬＡＮ等のＩＰ（ＩｎｔｅｒｎｅｔＰｒｏｔｏｃｏｌ）網を用いた一斉放送システムに係り、特にユニキャスト・アドレスまたはマルチキャスト・アドレスのＩＰパケットをスタティックまたはダイナミックな音声パスで送受信できる一斉放送システムに関する。
【０００２】
【従来の技術】
図１０にＩＰ網を用いた従来の一斉放送システムの接続構成図を示す。図１０において、一斉放送システム５０は、送信用ＩＰ放送装置５２ａ〜５２ｃと受信用ＩＰ放送装置５３ａ〜５３ｃとをルータを介してＩＰ網ＮＷに接続し、それぞれ送信用ＩＰ放送装置５２ａ〜５２ｃを受信用ＩＰ放送装置５３ａ〜５３ｃと１対１の対向接続することにより、送信用ＩＰ放送装置５２ａから送信されたＩＰパケットを受信用ＩＰ放送装置５３ａで受信し、送信用ＩＰ放送装置５２ｂから送信されたＩＰパケットを受信用ＩＰ放送装置５３ｂで受信し、送信用ＩＰ放送装置５２ｃから送信されたＩＰパケットを受信用ＩＰ放送装置５３ｃで受信するように構成される。
【０００３】
放送装置５１と送信用ＩＰ放送装置５２ａ〜５２ｃ間、受信用ＩＰ放送装置５３ａ〜５３ｃと放送装置５４ａ〜５４ｃ間は、それぞれ４Ｗ（４ワイヤ）のＩ／Ｆ（インタフェース）で接続されており、Ｔ線：２本、Ｒ線：２本（計４本）が使用されている。なお、放送装置５１の１回線についてそれぞれＩＰ放送装置５２ａ〜５２ｃが１台接続される構成となる。
【０００４】
ＩＰ放送装置５２ａ〜５２ｃは、放送装置５１から供給される一斉放送用の音声（マイク入力）を受信してＩＰパケット化し、ＩＰパケットがそれぞれルータを介してＩＰ網ＮＷへ送信される。
【０００５】
受信用ＩＰ放送装置５３ａ〜５３ｃは、ＩＰ網ＮＷからそれぞれルータを介して送信されてくる一斉放送のＩＰパケットを受信して音声化し、音声信号がそれぞれ放送装置５４ａ〜５４ｃに提供され、スピーカＳＰａ〜ＳＰｃから一斉放送の音声が出力される。
【０００６】
送信用ＩＰ放送装置５２ａと受信用ＩＰ放送装置５３ａ、送信用ＩＰ放送装置５２ｂと受信用ＩＰ放送装置５３ｂ、送信用ＩＰ放送装置５２ｃと受信用ＩＰ放送装置５３ｃがそれぞれＩＰ網ＮＷを介して１対１の対向に接続されている。送信用ＩＰ放送装置と受信用ＩＰ放送装置との間のフレームは、ユニキャストフレームが使用され、対抗する音声パス毎に帯域が必要とされる。
【０００７】
なお、音声通信で使用する音声パケットは、ＶｏＩＰ（Ｖｏｉｃｅ  ｏｖｅｒ  Ｉｎｔｅｒｎｅｔ  Ｐｒｏｔｏｃｏｌ）で標準的に使用されているＩＴＵ−Ｔ  Ｈ．２２５．０で勧告されたＲＴＰ（Ｒｅａｌ−ｔｉｍｅ  Ｔｒａｎｓｆｅｒ  Ｐｒｏｔｏｃｏｌ）パケットが使用される。
【０００８】
このように、従来の一斉放送システム５０は、送信用ＩＰ放送装置５２ａ〜５２ｃと受信用ＩＰ放送装置５３ａ〜５３ｃとがユニキャストフレーム（ユニキャスト・アドレスのＩＰパケット）のみで、それぞれ１対１の対向で通信される。
【０００９】
なお、従来の一斉放送システム５０は、本願出願人が独自に実用化しているものであり、特許公開公報または特許公報を検索したが該当する従来技術が見当たらない状況にある。
【００１０】
【発明が解決しようとする課題】
従来の一斉放送システムは、送信用ＩＰ放送装置と受信用ＩＰ放送装置とを１対１の対向接続にするため、双方向の音声通信が可能となるメリットはあるが、片方向の音声通信のみが必要とされる一斉放送では、双方向の音声通信が必要とされず、一斉放送システムを構築する際にシステムの導入費用がアップしてしまう課題がある。
【００１１】
また、従来の一斉放送システムは、送信用ＩＰ放送装置と受信用ＩＰ放送装置との間をユニキャストフレーム（ユニキャスト・アドレスのＩＰパケット）のみで通信するため、互いに対向するＩＰ放送装置分の回線の帯域が必要とされ、ＩＰ網の回線帯域も多く必要となって、ＩＰ網の回線契約の費用アップも避けられない課題がある。
【００１２】
この発明はこのような課題を解決するためになされたもので、その目的はユニキャスト・アドレス／マルチキャスト・アドレス、ならびに音声パスのスタティック・パス／ダイナミック・パスの切替え選択が可能で、回線帯域を抑制し、音声パスの帯域を有効利用できるとともに、経済的で拡張性の高い一斉放送システムを提供することにある。
【００１３】
【課題を解決するための手段】
前記課題を解決するためこの発明に係る一斉放送システムは、一斉放送用の音声信号をＩＰパケットに変換してＩＰ網に送信する送信用ＩＰ放送装置と、ＩＰ網からのＩＰパケットを受信し、音声信号に変換する複数の受信用ＩＰ放送装置と、ＩＰパケットを伝送するＩＰ網とからなる一斉放送システムであって、送信用ＩＰ放送装置は、設定された構成情報に基づいてユニキャスト・アドレスまたはマルチキャスト・アドレスを設定したＩＰパケットをＩＰ網に送信し、複数の受信用ＩＰ放送装置は、それぞれＩＰ網から自装置宛てユニキャスト・アドレスが設定されたＩＰパケットまたはマルチキャスト・アドレスが設定されたＩＰパケットを受信することを特徴とする。
【００１４】
この発明に係る一斉放送システムの送信用ＩＰ放送装置は、設定された構成情報に基づいてユニキャスト・アドレスまたはマルチキャスト・アドレスを設定したＩＰパケットをＩＰ網に送信し、複数の受信用ＩＰ放送装置は、それぞれＩＰ網から自装置宛てユニキャスト・アドレスが設定されたＩＰパケットまたはマルチキャスト・アドレスが設定されたＩＰパケットを受信するので、送信用ＩＰ放送装置、ＩＰ網および複数の受信用ＩＰ放送装置の状態に応じてユニキャスト・アドレスとマルチキャスト・アドレスの切替え選択を可能にすることができ、必要に応じて回線帯域を抑制し、経済的で拡張性の高いシステムを構築することができる。
【００１５】
また、この発明に係る一斉放送システムは、一斉放送用の音声信号をＩＰパケットに変換してＩＰ網に送信する送信用ＩＰ放送装置と、ＩＰ網からのＩＰパケットを受信し、音声信号に変換する複数の受信用ＩＰ放送装置と、送信用ＩＰ放送装置と受信用ＩＰ放送装置との間の音声パスを制御する一斉放送管理装置と、ＩＰパケットを伝送するＩＰ網とからなる一斉放送システムであって、送信用ＩＰ放送装置は、同一音源の音声パケットにユニキャスト・アドレスを設定した複数のＩＰパケットをＩＰ網に送信し、複数の受信用ＩＰ放送装置は、ＩＰ網からの自装置宛てＩＰパケットを受信し、一斉放送管理装置は、一斉放送用の音声パスを設定する構成情報を出力し、送信用ＩＰ放送装置と受信用ＩＰ放送装置相互間の音声パスの接続／切断をダイナミックに制御することを特徴とする。
【００１６】
この発明に係る一斉放送システムの送信用ＩＰ放送装置は、同一音源の音声パケットにユニキャスト・アドレスを設定した複数のＩＰパケットをＩＰ網に送信し、複数の受信用ＩＰ放送装置は、ＩＰ網からの自装置宛てＩＰパケットを受信し、一斉放送管理装置は、一斉放送用の音声パスを設定する構成情報を出力し、送信用ＩＰ放送装置と受信用ＩＰ放送装置相互間の音声パスの接続／切断をダイナミックに制御するので、ＩＰパケットの占める回線帯域は広いが、必要に応じて音声パスの帯域を有効利用することができ、システムを低コストで構築するとともに、システムの拡張性を高めることができる。
【００１７】
さらに、この発明に係る一斉放送システムは、一斉放送用の音声信号をＩＰパケットに変換してＩＰ網に送信する送信用ＩＰ放送装置と、ＩＰ網からのＩＰパケットを受信し、音声信号に変換する複数の受信用ＩＰ放送装置と、送信用ＩＰ放送装置と受信用ＩＰ放送装置との間の音声パスを制御する一斉放送管理装置と、ＩＰパケットを伝送するＩＰ網とからなる一斉放送システムであって、送信用ＩＰ放送装置は、同一音源の音声パケットにマルチキャスト・アドレスを設定した単一のＩＰパケットをＩＰ網に送信し、複数の受信用ＩＰ放送装置は、ＩＰ網からの単一のＩＰパケットを受信し、一斉放送管理装置は、一斉放送用の音声パスを設定する構成情報を出力し、送信用ＩＰ放送装置と受信用ＩＰ放送装置相互間の音声パスの接続をスタティックに制御することを特徴とする。
【００１８】
この発明に係る一斉放送システムの送信用ＩＰ放送装置は、同一音源の音声パケットにマルチキャスト・アドレスを設定した単一のＩＰパケットをＩＰ網に送信し、複数の受信用ＩＰ放送装置は、ＩＰ網からの単一のＩＰパケットを受信し、一斉放送管理装置は、一斉放送用の音声パスを設定する構成情報を出力し、送信用ＩＰ放送装置と受信用ＩＰ放送装置相互間の音声パスの接続をスタティックに制御するので、ＩＰパケットの占める回線帯域を狭くすることができ、システムを低コストで構築するとともに、システムの拡張性を高めることができる。
【００１９】
また、この発明に係る一斉放送システムは、一斉放送用の音声信号をＩＰパケットに変換してＩＰ網に送信する送信用ＩＰ放送装置と、ＩＰ網からのＩＰパケットを受信し、音声信号に変換する複数の受信用ＩＰ放送装置と、送信用ＩＰ放送装置と受信用ＩＰ放送装置との間の音声パスを制御する一斉放送管理装置と、ＩＰパケットを伝送するＩＰ網とからなる一斉放送システムであって、送信用ＩＰ放送装置は、同一音源の音声パケットにマルチキャスト・アドレスを設定した単一のＩＰパケットをＩＰ網に送信し、複数の受信用ＩＰ放送装置は、ＩＰ網からの単一のＩＰパケットを受信し、一斉放送管理装置は、一斉放送用の音声パスを設定する構成情報を出力し、送信用ＩＰ放送装置と受信用ＩＰ放送装置相互間の音声パスの接続／切断をダイナミックに制御することを特徴とする。
【００２０】
この発明に係る一斉放送システムの送信用ＩＰ放送装置は、同一音源の音声パケットにマルチキャスト・アドレスを設定した単一のＩＰパケットをＩＰ網に送信し、複数の受信用ＩＰ放送装置は、ＩＰ網からの単一のＩＰパケットを受信し、一斉放送管理装置は、一斉放送用の音声パスを設定する構成情報を出力し、送信用ＩＰ放送装置と受信用ＩＰ放送装置相互間の音声パスの接続／切断をダイナミックに制御するので、ＩＰパケットの占める回線帯域を狭くするとともに、必要に応じて音声パスの帯域を有効利用することができ、システムを低コストで構築するとともに、システムの拡張性を高めることができる。
【００２１】
さらに、この発明に係るＩＰ放送装置は、一斉放送用の音声パケットにアドレスを設定したＩＰパケットをＩＰ網に送信、またはＩＰ網からのＩＰパケットを受信するＩＰ放送装置であって、同一音源の音声パケットにユニキャスト・アドレスを設定し、複数のＩＰパケットをＩＰ網に送信することを特徴とする。
【００２２】
また、この発明に係るＩＰ放送装置は、同一音源の音声パケットにマルチキャスト・アドレスを設定し、単一のＩＰパケットをＩＰ網に送信することを特徴とする。
【００２３】
この発明に係るＩＰ放送装置は、同一音源の音声パケットにユニキャスト・アドレスを設定し、複数のＩＰパケット、またはマルチキャスト・アドレスを設定し、単一のＩＰパケットをＩＰ網に送信するので、ＩＰ網や受信側の状態に応じてユニキャスト・アドレスまたはマルチキャスト・アドレスを設定することができ、使い勝手の自由度を広くすることができる。
【００２４】
さらに、この発明に係るＩＰ放送装置は、一斉放送管理装置から供給される一斉放送用の音声パスを設定する構成情報に基づいてＩＰ装置相互間に音声パスをスタティックに接続することを特徴とする。
【００２５】
また、この発明に係るＩＰ放送装置は、一斉放送管理装置から供給される一斉放送用の音声パスを設定する構成情報に基づいてＩＰ装置相互間に音声パスをダイナミックに接続することを特徴とする。
【００２６】
この発明に係るＩＰ放送装置は、一斉放送管理装置から供給される一斉放送用の音声パスを設定する構成情報に基づいてＩＰ装置相互間に音声パスをスタティックまたはダイナミックに接続するので、必要に応じて音声パスを常時（スタティック）接続状態に設定し、あるいは接続／切断（ダイナミック）状態に設定して、音声パスを固定したり、音声パスの帯域を有効利用することができ、利便性の向上を図ることができる。
【００２７】
さらに、この発明に係るＩＰ放送装置は、ＬＡＮとのインタフェースを取るＬＡＮインタフェース手段、ＴＣＰプロトコルの生成／解析処理をするプロトコル処理手段、音声パスのオープン／クローズの制御をするとともに、データのゆらぎを制御するＲＴＰ／ジッタ制御手段、一斉放送管理装置とのインタフェースを取る一斉放送制御手段、音声データを圧縮／伸長する音声圧縮・伸長手段、音声パスをスタティックに設定するＭＭＩ手段を備えたことを特徴とする。
【００２８】
この発明に係るＩＰ放送装置は、ＬＡＮとのインタフェースを取るＬＡＮインタフェース手段、ＴＣＰプロトコルの生成／解析処理をするプロトコル処理手段、音声パスのオープン／クローズの制御をするとともに、データのゆらぎを制御するＲＴＰ／ジッタ制御手段、一斉放送管理装置とのインタフェースを取る一斉放送制御手段、音声データを圧縮／伸長する音声圧縮・伸長手段、音声パスをスタティックに設定するＭＭＩ手段を備えたので、一斉放送用の音声パケットにユニキャスト・アドレスまたはマルチキャスト・アドレスを設定したＩＰパケットを送信するとともに、音声パスを固定（スタティック）または接続／切断を任意（ダイナミック）に設定することができ、利便性の向上を図ることができる。
【００２９】
【発明の実施の形態】
以下、この発明の実施の形態を添付図面に基づいて説明する。図１はこの発明に係る一斉放送システムの一実施の形態基本構成図である。図１において、一斉放送システム１ａは、送信系を構成する放送装置２ａおよびＩＰ放送装置３ａと、受信系を構成するＩＰ放送装置７ａ〜７ｃおよび放送装置８ａ〜８ｃと、ＩＰ（Ｉｎｔｅｒｎｅｔ  Ｐｒｏｔｏｃｏｌ）網ＮＷとから構築し、ＩＰ放送装置３ａおよびＩＰ放送装置７ａ〜７ｃは、それぞれルータを介してＩＰ（Ｉｎｔｅｒｎｅｔ  Ｐｒｏｔｏｃｏｌ）網ＮＷに接続する。
【００３０】
放送装置２ａは、マイクから入力された一斉放送の音声に増幅処理を施し、一斉放送の音声信号をＩＰ放送装置３ａに供給する。
【００３１】
送信用ＩＰ放送装置３ａは、放送装置２ａから供給される一斉放送の音声信号に圧縮処理を施してＩＰパケット化し、一斉放送のＩＰパケットをルータを介してＩＰ網ＮＷに送信する。
【００３２】
また、送信用ＩＰ放送装置３ａは、音声信号をＩＰパケット化する際、設定された構成情報に基づいて送信先（受信側）のＩＰ放送装置７ａ〜７ｃに固有に設定されたユニキャスト・アドレス（例えば、アドレスＵ１，Ｕ２，Ｕ３）、またはＩＰ放送装置７ａ〜７ｃを特定グループとして共通に設定された１つのマルチキャスト・アドレス（例えば、アドレスＭ）を付与したＩＰパケットをＩＰ網ＮＷに送信する。
【００３３】
受信用ＩＰ放送装置７ａ〜７ｃは、それぞれＩＰ網ＮＷからルータを介して送信されてくる自装置宛てのユニキャスト・アドレス（例えば、Ｕ１，Ｕ２，Ｕ３）を有するＩＰパケット、または特定グループとして共通に設定された１つのマルチキャスト・アドレス（例えば、アドレスＭ）を付与したＩＰパケットを受信し、音声化を施して伸長処理し、音声信号を放送装置８ａ〜８ｃに供給する。
【００３４】
放送装置８ａ〜８ｃは、それぞれ受信用ＩＰ放送装置７ａ〜７ｃから供給される音声信号をスピーカＳＰ１〜ＳＰ３に提供し、一斉放送の音声を出力させる。
【００３５】
このように、この発明に係る一斉放送システム１ａの送信用ＩＰ放送装置３ａは、設定された構成情報に基づいてユニキャスト・アドレス（例えば、アドレスＵ１，Ｕ２，Ｕ３）またはマルチキャスト・アドレス（例えば、アドレスＭ）を設定したＩＰパケットをＩＰ網に送信し、複数の受信用ＩＰ放送装置７ａ〜７ｃは、それぞれＩＰ網ＮＷから自装置宛てユニキャスト・アドレス（例えば、アドレスＵ１，Ｕ２，Ｕ３）が設定されたＩＰパケットまたはマルチキャスト・アドレス（例えば、アドレスＭ）が設定されたＩＰパケットを受信するので、送信用ＩＰ放送装置３ａ、ＩＰ網ＮＷおよび複数の受信用ＩＰ放送装置７ａ〜７ｃの状態に応じてユニキャスト・アドレスとマルチキャスト・アドレスの切替え選択を可能にすることができ、必要に応じて回線帯域を抑制し、経済的で拡張性の高いシステムを構築することができる。
【００３６】
図２はこの発明に係る一斉放送システムの別実施の形態基本ブロック構成図である。図２において、一斉放送システム１は、送信系を構成する放送装置２、ＩＰ放送装置３および管理端末４と、網監視装置５と、一斉放送管理装置６と、受信系を構成するＩＰ放送装置７ａ〜７ｃおよび放送装置８ａ〜８ｃと、ＩＰ（Ｉｎｔｅｒｎｅｔ  Ｐｒｏｔｏｃｏｌ）網ＮＷとから構築し、ＩＰ放送装置３，網監視装置５，一斉放送管理装置６，ＩＰ放送装置７ａ〜７ｃは、それぞれルータを介してＩＰ（Ｉｎｔｅｒｎｅｔ  Ｐｒｏｔｏｃｏｌ）網ＮＷに接続する。
【００３７】
放送装置２は、マイクから入力された一斉放送の音声に増幅処理を施し、一斉放送の音声信号をＩＰ放送装置３に供給する。
【００３８】
送信用ＩＰ放送装置３は、放送装置２から供給される一斉放送の音声信号に圧縮処理を施してＩＰパケット化し、一斉放送のＩＰパケットをルータを介してＩＰ網ＮＷに送信する。
【００３９】
また、送信用ＩＰ放送装置３は、音声信号をＩＰパケット化する際、送信先（受信側）のＩＰ放送装置７ａ〜７ｃに固有に設定されたユニキャスト・アドレス（例えば、アドレスＵ１，Ｕ２，Ｕ３）、またはＩＰ放送装置７ａ〜７ｃを特定グループとして共通に設定された１つのマルチキャスト・アドレス（例えば、アドレスＭ）を付与したＩＰパケットをＩＰ網ＮＷに送信する。
【００４０】
さらに、送信用ＩＰ放送装置３は、管理端末４から提供されるスタティック構成情報ＪＳに基づいてユニキャスト・アドレス（例えば、アドレスＵ１，Ｕ２，Ｕ３）を有する受信用ＩＰ放送装置７ａ〜７ｃとの間、マルチキャスト・アドレス（例えば、アドレスＭ）を受信する受信用ＩＰ放送装置７ａ〜７ｃとの間にＩＰ網ＮＷを介して音声パスを常時接続する。
【００４１】
また、送信用ＩＰ放送装置３は、一斉放送管理装置６から提供されるダイナミック構成情報に基づいてユニキャスト・アドレス（例えば、Ｕ１，Ｕ２，Ｕ３）を有する受信用ＩＰ放送装置７ａ〜７ｃとの間、マルチキャスト・アドレス（例えば、アドレスＭ）を受信する受信用ＩＰ放送装置７ａ〜７ｃとの間の音声パスを任意に接続したり、切断したりする。
【００４２】
網監視装置５は、ＳＮＭＰ（Ｓｉｍｐｌｅ  Ｎｅｔｗｏｒｋ  Ｍａｎａｇｅｍｅｎｔ  Ｐｒｏｔｏｃｏｌ）マネージャを構成し、ＩＰ放送装置３、ＩＰ放送装置７ａ〜７ｃのＳＮＭＰエージェントから通知される情報に基づいてネットワークを一元的に管理し、運用する。
【００４３】
一斉放送管理装置６は、一斉放送用の音声パスを設定し、送信用ＩＰ放送装置３と受信用ＩＰ放送装置７ａ〜７ｃとの間の音声パスを設定する構成情報を出力する構成情報発生手段１６備える。
【００４４】
構成情報発生手段１６は、送信用ＩＰ放送装置３と受信用ＩＰ放送装置７ａ〜７ｃとの間の音声パスを常時接続するスタティック構成情報ＪＳを発生し、ルータを介してＩＰ網ＮＷに送信する。
【００４５】
また、構成情報発生手段１６は、送信用ＩＰ放送装置３と受信用ＩＰ放送装置７ａ〜７ｃとの間の音声パスを任意に接続／切断するダイナミック構成情報ＪＤを発生し、ルータを介してＩＰ網ＮＷに送信する。
【００４６】
受信用ＩＰ放送装置７ａ〜７ｃは、それぞれＩＰ網ＮＷからルータを介して送信されてくる自装置宛てのユニキャスト・アドレス（例えば、Ｕ１，Ｕ２，Ｕ３）を有するＩＰパケット、または特定グループとして共通に設定された１つのマルチキャスト・アドレス（例えば、アドレスＭ）を付与したＩＰパケットを受信し、音声化を施して伸長処理し、音声信号を放送装置８ａ〜８ｃに供給する。
【００４７】
放送装置８ａ〜８ｃは、それぞれ受信用ＩＰ放送装置７ａ〜７ｃから供給される音声信号をスピーカＳＰ１〜ＳＰ３に提供し、一斉放送の音声を出力させる。
【００４８】
図３はこの発明に係る一斉放送システムの接続構成図である。図３において、放送装置２と送信用ＩＰ放送装置３との間のＩ／Ｆ（インタフェース）および受信用ＩＰ放送装置７ａ〜７ｃと放送装置８ａ〜８ｃとの間のＩ／Ｆ（インタフェース）は、それぞれＴ線：２本、Ｒ線：２本（計４本）で接続する。
【００４９】
マイクから入力された一斉放送の音声は、放送装置２を経由して送信用ＩＰ放送装置３で同一音源の音声パケットにマルチキャスト・アドレスＭを設定した単一のＩＰパケットをルータを介してＩＰ網ＮＷに送信する。
【００５０】
受信用ＩＰ放送装置７ａ〜７ｃは、それぞれＩＰ網ＮＷを送信されてくるマルチキャスト・アドレスＭが設定された単一のＩＰパケットをルータを介して受信して音声化し、音声信号を放送装置８ａ〜８ｃを介してスピーカＳＰ１〜ＳＰ３から一斉放送の音声を出力する。
【００５１】
送信用ＩＰ放送装置３と受信用ＩＰ放送装置７ａ〜７ｃとは、１対Ｎ（１対３）で接続され、送信用ＩＰ放送装置３と受信用ＩＰ放送装置７ａ〜７ｃの相互間は、マルチキャストフレームを使用するために、対向する音声パス毎に帯域（例えば、３つの帯域）が必要とされず、単一のＩＰパケットを１つの音声パスで伝送することができる。
【００５２】
なお、音声通信は、送信用ＩＰ放送装置３から受信用ＩＰ放送装置７ａ〜７ｃへの片方向のみが可能である。また、音声通信で使用するＩＰパケットは、ＶｏＩＰ（Ｖｏｉｃｅ  ｏｖｅｒ  Ｉｎｔｅｒｎｅｔ  Ｐｒｏｔｏｃｏｌ）で標準的に使用されているＩＴＵ−Ｔ  Ｈ．２２５．０で勧告されたＲＴＰ（Ｒｅａｌ−ｔｉｍｅ  Ｔｒａｎｓｆｅｒ  Ｐｒｏｔｏｃｏｌ）パケットを使用する。
【００５３】
このように、この発明に係る送信用ＩＰ放送装置３と受信用ＩＰ放送装置７ａ〜７ｃを１対Ｎ（１対３）で接続し、送信用ＩＰ放送装置３と受信用ＩＰ放送装置７ａ〜７ｃの相互間は、マルチキャストフレームを使用するため、送信用ＩＰ放送装置３に必要とされる帯域は、１対向分でよく、ＩＰ放送装置３の負荷を軽減することができ、システムを低コストで構築することができる。
【００５４】
図４はこの発明に係る一斉放送システムのユニキャストフレームを用いた一斉放送のイメージ図である。図４において、送信用ＩＰ放送装置３は、ユニキャスト・アドレスＵ１、ユニキャスト・アドレスＵ２およびユニキャスト・アドレスＵ３の３個のアドレスを生成し、ユニキャスト・アドレスＵ１を付加した音声Ａのユニキャストフレーム（ＩＰパケット）を受信用ＩＰ放送装置７ａに、ユニキャスト・アドレスＵ２を付加した音声Ａのユニキャストフレーム（ＩＰパケット）を受信用ＩＰ放送装置７ｂに、ユニキャスト・アドレスＵ３を付加した音声Ａのユニキャストフレーム（ＩＰパケット）を受信用ＩＰ放送装置７ｃに送信する。
【００５５】
受信用ＩＰ放送装置７ａは、送信用ＩＰ放送装置３から送信されてくる自装置宛てのユニキャスト・アドレスＵ１を付加した音声Ａのユニキャストフレーム（ＩＰパケット）を受信し、受信用ＩＰ放送装置７ｂは、送信用ＩＰ放送装置３から送信されてくる自装置宛てのユニキャスト・アドレスＵ２を付加した音声Ａのユニキャストフレーム（ＩＰパケット）を受信し、受信用ＩＰ放送装置７ｃは、送信用ＩＰ放送装置３から送信されてくる自装置宛てのユニキャスト・アドレスＵ３を付加した音声Ａのユニキャストフレーム（ＩＰパケット）を受信する。
【００５６】
なお、３つのユニキャストフレームを送信するために、ＩＰ網ＮＷの音声パスの帯域は、３対向分の帯域が必要となる。
【００５７】
図４の構成は、図２０に示す従来の構成とユニキャストフレームを用いる点で同じであるが、図２０の構成はスタティック（常時接続）の音声パスであるのに対し、接続／切断が任意のダイナミックの音声パスである点が異なる。
【００５８】
本発明のシステム構成においてユニキャストフレームを用いる理由について説明する。まず、マルチキャストフレーム利用のサービスがＩＰ網全てで受けられないのが現状であり、これについては、将来サービスが受けられるようになった時点で解消される。
【００５９】
次に、図８に示すように、ＩＰ放送装置とパーソナルコンピュータをハブ装置に収容して利用する形態がある。このような場合、たとえマルチキャストフレームを用いたとしても、ＩＰ放送装置の稼動中に複数のパーソナルコンピュータＰＣ１，ＰＣ２を利用すると、回線の帯域が圧迫されてパーソナルコンピュータＰＣ１，ＰＣ２を正常に使用できないケースがある。
【００６０】
一斉放送管理装置６により、ＩＰ放送装置を音声パスの任意な接続／切断が可能なダイナミックに設定し、一斉放送をしていない状態で、一斉放送の音声パスを切断することにより、ＩＰ網の帯域を広くした契約することなく、パーソナルコンピュータＰＣ１，ＰＣ２を使用することができる。
【００６１】
また、音声パスを切断することにより、音声パスがスタティック（固定接続）の場合にも同様にパーソナルコンピュータＰＣ１，ＰＣ２を利用することができるので、マルチキャストフレーム利用のサービスが提供されていないＩＰ網にも適用することができる。
【００６２】
このように、この発明に係る一斉放送システム１は、送信用ＩＰ放送装置３は、同一音源の音声パケットにユニキャスト・アドレス（Ｕ１，Ｕ２，Ｕ３）を設定した複数のＩＰパケットをＩＰ網ＮＷに送信し、複数の受信用ＩＰ放送装置（７ａ，７ｂ，７ｃ）は、ＩＰ網ＮＷから供給される自装置宛てのＩＰパケットを受信し、一斉放送管理装置６は、一斉放送用の音声パスを設定する構成情報を出力し、送信用ＩＰ放送装置３と受信用ＩＰ放送装置（７ａ，７ｂ，７ｃ）相互間の音声パスの接続／切断をダイナミックに制御するので、ＩＰパケットの占める回線帯域は広いが、必要に応じて音声パスの帯域を有効利用することができ、システムを低コストで構築するとともに、システムの拡張性を高めることができる。
【００６３】
図５はこの発明に係る一斉放送システムのマルチキャストフレームを用いた一斉放送のイメージ図である。図５において、送信用ＩＰ放送装置３は、１個のマルチキャスト・アドレスＭを生成し、１個のマルチキャスト・アドレスＭを付加した音声Ａのマルチキャストフレーム（ＩＰパケット）を受信用ＩＰ放送装置７ａ、受信用ＩＰ放送装置７ｂおよび受信用ＩＰ放送装置７ｃに送信する。
【００６４】
送信用ＩＰ放送装置３は、受信用ＩＰ放送装置７ａ、受信用ＩＰ放送装置７ｂおよび受信用ＩＰ放送装置７ｃと１対３で接続し、各ＩＰ放送装置相互間は、音声パスを形成する。
【００６５】
受信用ＩＰ放送装置７ａ〜７ｃは、それぞれ送信用ＩＰ放送装置３からのマルチキャストフレーム（ＩＰパケット）を受信して音声化し、音声信号を放送装置８ａ〜８ｃに提供することにより、スピーカＳＰ１〜ＳＰ３から一斉放送の音声を出力する。
【００６６】
送信用ＩＰ放送装置３は、同一音源の音声パケットにマルチキャスト・アドレスＭを設定した単一のマルチキャストフレーム（ＩＰパケット）を送信するので、ＩＰ網ＮＷの音声パスの帯域は、１対向分の帯域のみが必要とされる。
【００６７】
また、一斉放送管理装置６からスタティック構成情報ＪＳを供給し、送信用ＩＰ放送装置３とＩＰ放送装置７ａ〜７ｃとの間の音声パスを常時接続（スタティック）する。
【００６８】
音声パスを常時接続（スタティック）の状態に設定しても、送信用ＩＰ放送装置３とＩＰ放送装置７ａ〜７ｃとの間のＩＰパケットは、同一音源の音声パケットにマルチキャスト・アドレスＭを設定した単一のマルチキャストフレーム（ＩＰパケット）を用いるので、ＩＰパケットの占める回線帯域を１対向分の帯域と狭くすることができ、システムを低コストで構築するとともに、システムの拡張性を高めることができる。
【００６９】
さらに、一斉放送管理装置６からダイナミック構成情報ＪＤを供給し、送信用ＩＰ放送装置３と受信用ＩＰ放送装置７ａ〜７ｃとの間の音声パスを任意に接続／切断が可能なダイナミックに設定する。
【００７０】
音声パスを任意に接続／切断が可能なダイナミックに設定するので、図８に示すＩＰ放送装置とパーソナルコンピュータをハブ装置に収容する場合には、送信用ＩＰ放送装置３が一斉放送をしていない状態で、一斉放送の音声パスを切断することにより、パーソナルコンピュータＰＣ１，ＰＣ２を利用することができ、音声パスの帯域を有効利用し、システムを低コストで構築するとともに、システムの拡張性を高めることができる。
【００７１】
このように、この発明に係る一斉放送システム１は、送信用ＩＰ放送装置３は、同一音源の音声パケットにマルチキャスト・アドレスＭを設定した単一のＩＰパケットをＩＰ網ＮＷに送信し、複数の受信用ＩＰ放送装置７ａ〜７ｃは、ＩＰ網ＮＷから供給される単一のＩＰパケットを受信し、一斉放送管理装置６は、一斉放送用の音声パスを設定する構成情報（スタティック構成情報ＪＳ）を出力し、送信用ＩＰ放送装置３と受信用ＩＰ放送装置相互間７ａ〜７ｃの音声パスの接続をスタティックに制御するので、ＩＰパケットの占める回線帯域を狭くすることができ、システムを低コストで構築するとともに、システムの拡張性を高めることができる。
【００７２】
また、この発明に係る一斉放送システム１は、送信用ＩＰ放送装置３は、同一音源の音声パケットにマルチキャスト・アドレスＭを設定した単一のＩＰパケットをＩＰ網ＮＷに送信し、複数の受信用ＩＰ放送装置７ａ〜７ｃは、ＩＰ網ＮＷから供給される単一のＩＰパケットを受信し、一斉放送管理装置６は、一斉放送用の音声パスを設定する構成情報（ダイナミック構成情報ＪＤ）を出力し、送信用ＩＰ放送装置３と受信用ＩＰ放送装置７ａ〜７ｃ相互間の音声パスの接続／切断をダイナミックに制御するので、ＩＰパケットの占める回線帯域を狭くするとともに、必要に応じて音声パスの帯域を有効利用することができ、システムを低コストで構築するとともに、システムの拡張性を高めることができる。
【００７３】
図６はこの発明に係る一斉放送の一実施の形態通信シーケンス図である。なお、シーケンス図は、一斉放送管理装置と、送信系の放送装置、ＩＰ放送装置、ルータと、ＩＰ網と、受信系のルータ、ＩＰ放送装置、放送装置の関係を表わす。また、音声パスの形成には、常時接続のスタティックと任意に接続／切断が可能なダイナミックとがあるが、ここでは、音声パスの接続→一斉放送→音声パスの切断のダイナミックについて説明する。
【００７４】
初めに、一斉放送管理装置のキーまたは画面表示の項目をクリック等により動作開始（「放送開始」）を指示する。「放送開始」が指示されると、一斉放送管理装置と受信系のＩＰ放送装置との間で、ＴＣＰ（Ｔｒａｎｓｍｉｓｓｉｏｎ  Ｃｏｎｔｒｏｌ  Ｐｒｏｔｏｃｏｌ）／ＵＤＰ（Ｕｓｅｒ  Ｄａｔａｇｒａｍ  Ｐｒｏｔｏｃｏｌ）等のセッションを形成し、一斉放送管理装置から受信系のＩＰ放送装置に「受信パスオープン要求」メッセージを送信する。「受信パスオープン要求」メッセージには、受信系のＩＰ放送装置で必要な構成情報（例えば、ダイナミック構成情報ＪＤ）も含まれる。
【００７５】
「受信パスオープン要求」メッセージを受信し、受信の準備が整うと、受信系のＩＰ放送装置から一斉放送管理装置に「受信パスオープン完了」メッセージを送信する。「受信パスオープン完了」メッセージには、受信系のＩＰ放送装置で「受信パスオープン」が正常／異常終了かの情報も含まれる。
【００７６】
「受信パスオープン完了」メッセージを受信して「受信パスオープン」が正常終了を確認した後に、一斉放送管理装置から送信系のＩＰ放送装置に「送信パスオープン要求」メッセージを送信する。「送信パスオープン要求」メッセージには、送信系のＩＰ放送装置で必要な構成情報（例えば、ダイナミック構成情報ＪＤ）も含まれる。
【００７７】
「送信パスオープン要求」メッセージを受信し、送信の準備が整うと、送信系のＩＰ放送装置から一斉放送管理装置に「送信パスオープン完了」メッセージを送信する。「送信パスオープン完了」メッセージには、送信系のＩＰ放送装置で「送信パスオープン」が正常／異常終了かの情報も含まれる。
【００７８】
「送信パスオープン完了」メッセージを受信して「送信パスオープン」が正常終了を確認した後に、一斉放送管理装置のキーまたは画面等に表示されている項目に「接続完了」を示すメッセージやキー表示をし、接続が完了したことを利用者に通知する。
【００７９】
マイクから入力される一斉放送の音声を放送装置を介して送信系のＩＰ放送装置が受信し、一斉放送管理装置からの構成情報等により、音声を圧縮（または、非圧縮）した後、ＲＴＰ（Ｒｅａｌ−ｔｉｍｅ  Ｔｒａｎｓｆｅｒ  Ｐｒｏｔｏｃｏｌ）パケットを生成し、受信系のＩＰ放送装置向けのマルチキャストフレーム（または、ユニキャストフレーム）をＩＰ網に送信する。受信系のＩＰ放送装置は、ＩＰ網を介して送信されてくるＲＴＰ（Ｒｅａｌ−ｔｉｍｅ  Ｔｒａｎｓｆｅｒ  Ｐｒｏｔｏｃｏｌ）パケットを受信し、一斉放送管理装置からの構成情報等により、音声パケットを伸長（または、非伸長）して放送装置を介してスピーカから一斉放送の音声を出力させる。
【００８０】
続いて、一斉放送終了後に、一斉放送管理装置のキーまたは画面表示の項目をクリック等により「放送終了」を指示する。「放送終了」が指示されると、一斉放送管理装置と送信系のＩＰ放送装置との間で、ＴＣＰ（Ｔｒａｎｓｍｉｓｓｉｏｎ  ＣｏｎｔｒｏｌＰｒｏｔｏｃｏｌ）／ＵＤＰ（Ｕｓｅｒ  Ｄａｔａｇｒａｍ  Ｐｒｏｔｏｃｏｌ）等のセッションを形成し、一斉放送管理装置から送信系のＩＰ放送装置に「送信パスクローズ要求」メッセージを送信する。
【００８１】
「送信パスクローズ要求」メッセージを受信した後、「送信パスクローズ」が完了すると、送信系のＩＰ放送装置は、一斉放送管理装置に「送信パスクローズ完了」メッセージを送信する。「送信パスクローズ完了」メッセージには、送信系のＩＰ放送装置で「送信パスクローズ」が正常／異常終了かの情報も含まれる。
【００８２】
「送信パスクローズ完了」メッセージを受信し、「送信パスクローズ」が正常に完了したことを認識すると、一斉放送管理装置は、受信系のＩＰ放送装置に「受信パスクローズ要求」メッセージを送信する。
【００８３】
「受信パスクローズ要求」メッセージを受信した後、「受信パスクローズ」が完了すると、受信系のＩＰ放送装置は、一斉放送管理装置に「受信パスクローズ完了」メッセージを送信する。「受信パスクローズ完了」メッセージには、受信系のＩＰ放送装置で「受信パスクローズ」が正常／異常終了かの情報も含まれる。
【００８４】
「受信パスクローズ完了」メッセージを受信して「受信パスクローズ」が正常終了を確認した後に、一斉放送管理装置のキーまたは画面等に表示されている項目に「接続解放」を示すメッセージやキー表示をし、「接続解放」が完了したことを利用者に通知する。
【００８５】
このように、この発明に係る一斉放送管理装置６は、送信用ＩＰ放送装置３と受信用ＩＰ放送装置７ａ〜７ｃとの間の音声パスを設定する構成情報を出力する構成情報発生手段１６を備えたので、送信用ＩＰ放送装置３と受信用ＩＰ放送装置７ａ〜７ｃとの間の音声パスを固定（スタティック）または接続／切断を任意（ダイナミック）に設定することができ、ＩＰ放送装置の利便性を向上させることができる。
【００８６】
また、この発明に係る構成情報発生手段１６は、送信用ＩＰ放送装置３と受信用ＩＰ放送装置７ａ〜７ｃとの間の音声パスを常時接続するスタティック構成情報ＪＳまたは任意に接続／切断するダイナミック構成情報ＪＤを発生するので、送信用ＩＰ放送装置３と受信用ＩＰ放送装置７ａ〜７ｃの接続性に自由度を持たせることができ、ＩＰ放送装置の拡張性を高めることができる。
【００８７】
図７はこの発明に係るＩＰ放送装置の一実施の形態要部ブロック構成図である。図７において、ＩＰ放送装置３は、ＬＡＮインタフェース手段９、プロトコル処理手段１０、ＲＴＰ／ジッタ制御手段１１、一斉放送制御手段１２、音声圧縮・伸長手段１３、ＳＮＭＰエージェント１４、ＭＭＩ手段１５を備える。
【００８８】
ＩＰ放送装置３は、ＬＡＮインタフェース手段９でＬＡＮとのインタフェースを取り、プロトコル処理手段１０でＴＣＰ（Ｔｒａｎｓｍｉｓｓｉｏｎ  Ｃｏｎｔｒｏｌ  Ｐｒｏｔｏｃｏｌ）プロトコルの生成／解析処理をし、ＲＴＰ／ジッタ制御手段１１で音声パスのオープン／クローズの制御をするとともに、データのゆらぎを制御する。
【００８９】
また、ＩＰ放送装置３は、一斉放送制御手段１２で一斉放送管理装置６とのインタフェースを取り、音声圧縮・伸長手段１３で音声データを圧縮／伸長する。
【００９０】
さらに、ＩＰ放送装置３は、ＳＮＭＰエージェント１４でＩＰ網を監視し、制御手段（ＳＮＭＰマネージャ）５に通知し、ＭＭＩ（Ｍａｎ  Ｍａｃｈｉｎｅ  Ｉｎｔｅｒｆａｃｅ）手段１５で音声パスをスタティックに設定する。
【００９１】
このように構成されたＩＰ放送装置３は、同一音源の音声パケットにユニキャスト・アドレスＵ１，Ｕ２，Ｕ３を設定し、複数のＩＰパケットをＩＰ網に送信する。
【００９２】
また、ＩＰ放送装置３は、同一音源の音声パケットにマルチキャスト・アドレスＭを設定し、単一のＩＰパケットをＩＰ網に送信する。
【００９３】
さらに、ＩＰ放送装置３は、管理端末４または一斉放送管理装置６から供給される一斉放送用の音声パスを設定する構成情報（スタティック構成情報ＪＳ）またはＭＭＩ手段１５から設定された構成情報（スタティック構成情報ＪＳ）に基づいてＩＰ装置相互間に音声パスをスタティックに接続する。
【００９４】
また、ＩＰ放送装置３は、一斉放送管理装置６から供給される一斉放送用の音声パスを設定する構成情報（ダイナミック構成情報ＪＤ）に基づいてＩＰ装置相互間に音声パスをダイナミックに接続する。
【００９５】
このように、この発明に係るＩＰ放送装置３は、ＬＡＮとのインタフェースを取るＬＡＮインタフェース手段９、ＴＣＰプロトコルの生成／解析処理をするプロトコル処理手段１０、音声パスのオープン／クローズの制御をするとともに、データのゆらぎを制御するＲＴＰ／ジッタ制御手段１１、一斉放送管理装置６とのインタフェースを取る一斉放送制御手段１２、音声データを圧縮／伸長する音声圧縮・伸長手段１３、音声パスをスタティックに設定するＭＭＩ手段１５を備えたので、一斉放送用の音声パケットにユニキャスト・アドレスＵ１，Ｕ２，Ｕ３またはマルチキャスト・アドレスＭを設定したＩＰパケットを送信するとともに、音声パスを固定（スタティック）または接続／切断を任意（ダイナミック）に設定することができ、利便性の向上を図ることができる。
【００９６】
また、この発明に係るＩＰ放送装置３は、同一音源の音声パケットにユニキャスト・アドレスＵ１〜Ｕ３を設定し、複数のＩＰパケット、またはマルチキャスト・アドレスＭを設定し、単一のＩＰパケットをＩＰ網に送信するので、ＩＰ網や受信側の状態に応じてユニキャスト・アドレスまたはマルチキャスト・アドレスを設定することができ、使い勝手の自由度を広くすることができる。
【００９７】
さらに、この発明に係るＩＰ放送装置３は、一斉放送管理装置６から供給される一斉放送用の音声パスを設定する構成情報（スタティック構成情報ＪＳ、ダイナミック構成情報ＪＤ）に基づいてＩＰ装置相互間に音声パスをスタティックまたはダイナミックに接続するので、必要に応じて音声パスを常時（スタティック）接続状態に設定し、あるいは接続／切断（ダイナミック）状態に設定して、音声パスを固定したり、音声パスの帯域を有効利用することができ、利便性の向上を図ることができる。
【００９８】
次に、この発明に係る一斉放送の音声パス生成方法について説明する。図９はこの発明に係る一斉放送の音声パス生成方法の一実施の形態動作フロー図である。なお、動作フローは、図２を参照にする。
【００９９】
図９において、ステップＳ１では、受信用ＩＰ放送装置に音声パスオープン要求を供給し、音声パスオープン完了を受信する。なお、ステップＳ１の動作は、一斉放送管理装置６および受信用ＩＰ放送装置７ａ（または、７ｂ、７ｃ）が実行する。
【０１００】
ステップＳ２では、送信用ＩＰ放送装置に音声パスオープン要求を供給し、音声パスオープン完了を受信する。なお、ステップＳ２の動作は、一斉放送管理装置６および送信用ＩＰ放送装置３が実行する。
【０１０１】
ステップＳ３では、送信用ＩＰ放送装置と受信用ＩＰ放送装置の音声パスを接続する。なお、ステップＳ３の動作は、一斉放送管理装置６、送信用ＩＰ放送装置３および受信用ＩＰ放送装置７ａ（または、７ｂ、７ｃ）が実行する。
【０１０２】
ステップＳ４では、音声パケットにアドレスを設定したＩＰパケットを音声パスを介して送信する。なお、ステップＳ４の動作は、送信用ＩＰ放送装置３が実行する。
【０１０３】
ステップＳ５では、音声パスからのＩＰパケットを受信する。なお、ステップＳ５の動作は、受信用ＩＰ放送装置７ａ（または、７ｂ、７ｃ）が実行する。
【０１０４】
ステップＳ６では、送信用ＩＰ放送装置に音声パスクローズ要求を供給し、音声パスクローズ完了を受信する。なお、ステップＳ６の動作は、一斉放送管理装置６および送信用ＩＰ放送装置３が実行する。
【０１０５】
ステップＳ７では、受信用ＩＰ放送装置に音声パスクローズ要求を供給し、音声パスクローズ完了を受信する。なお、ステップＳ７の動作は、一斉放送管理装置６および受信用ＩＰ放送装置７ａ（または、７ｂ、７ｃ）が実行する。
【０１０６】
ステップＳ８では、送信用ＩＰ放送装置と受信用ＩＰ放送装置の音声パスを切断する。なお、ステップＳ８の動作は、一斉放送管理装置６、送信用ＩＰ放送装置３および受信用ＩＰ放送装置７ａ（または、７ｂ、７ｃ）が実行する。
【０１０７】
また、ステップＳ４において、ＩＰパケットに設定したアドレスは、ユニキャスト・アドレスとする。
【０１０８】
さらに、ステップＳ４において、ＩＰパケットに設定したアドレスは、マルチキャスト・アドレスとする。
【０１０９】
このように、この発明に係る一斉放送の音声パス生成方法は、受信用ＩＰ放送装置に音声パスオープン要求を供給し、音声パスオープン完了を受信するステップＳ１と、送信用ＩＰ放送装置に音声パスオープン要求を供給し、音声パスオープン完了を受信するステップＳ２と、送信用ＩＰ放送装置と受信用ＩＰ放送装置の音声パスを接続するステップＳ３と、音声パケットにアドレスを設定したＩＰパケットを音声パスを介して送信するステップＳ４と、音声パスからのＩＰパケットを受信するステップＳ５と、送信用ＩＰ放送装置に音声パスクローズ要求を供給し、音声パスクローズ完了を受信するステップＳ６と、受信用ＩＰ放送装置に音声パスクローズ要求を供給し、音声パスクローズ完了を受信するステップＳ７と、送信用ＩＰ放送装置と受信用ＩＰ放送装置の音声パスを切断するステップ８とを備えたので、送信用放送装置と受信用放送装置との間の音声パスを接続させ、一斉放送用の音声データを送受信させ、音声パスを切断させることができ、必要に応じて音声パスの帯域を有効利用することができ、利便性を高めるとともに、システムの拡張性を高めることができる。
【０１１０】
また、この発明に係る一斉放送の音声パス生成方法は、ステップＳ４において、ＩＰパケットに設定したアドレスは、ユニキャスト・アドレスまたはマルチキャスト・アドレスであるので、ＩＰ網や受信側の状態に応じてユニキャスト・アドレスまたはマルチキャスト・アドレスを設定することができ、使い勝手の自由度を広くすることができる。
【０１１１】
【発明の効果】
以上説明したように、この発明に係る一斉放送システムの送信用ＩＰ放送装置は、設定された構成情報に基づいてユニキャスト・アドレスまたはマルチキャスト・アドレスを設定したＩＰパケットをＩＰ網に送信し、複数の受信用ＩＰ放送装置は、それぞれＩＰ網から自装置宛てユニキャスト・アドレスが設定されたＩＰパケットまたはマルチキャスト・アドレスが設定されたＩＰパケットを受信するので、送信用ＩＰ放送装置、ＩＰ網および複数の受信用ＩＰ放送装置の状態に応じてユニキャスト・アドレスとマルチキャスト・アドレスの切替え選択を可能にすることができ、必要に応じて回線帯域を抑制し、経済的で拡張性の高いシステムを構築することができる。
【０１１２】
また、この発明に係る一斉放送システムは、送信用ＩＰ放送装置は、同一音源の音声パケットにユニキャスト・アドレスを設定した複数のＩＰパケットをＩＰ網に送信し、複数の受信用ＩＰ放送装置は、ＩＰ網から供給される自装置宛てのＩＰパケットを受信し、一斉放送管理装置は、一斉放送用の音声パスを設定する構成情報を出力し、送信用ＩＰ放送装置と受信用ＩＰ放送装置相互間の音声パスの接続／切断をダイナミックに制御するので、ＩＰパケットの占める回線帯域は広いが、必要に応じて音声パスの帯域を有効利用することができ、システムを低コストで構築するとともに、システムの拡張性を高めることができる。
【０１１３】
さらに、この発明に係る一斉放送システムは、送信用ＩＰ放送装置は、同一音源の音声パケットにマルチキャスト・アドレスを設定した単一のＩＰパケットをＩＰ網に送信し、複数の受信用ＩＰ放送装置は、ＩＰ網から供給される単一のＩＰパケットを受信し、一斉放送管理装置は、一斉放送用の音声パスを設定する構成情報を出力し、送信用ＩＰ放送装置と受信用ＩＰ放送装置相互間の音声パスの接続をスタティックに制御するので、ＩＰパケットの占める回線帯域を狭くすることができ、システムを低コストで構築するとともに、システムの拡張性を高めることができる。
【０１１４】
また、この発明に係る一斉放送システムは、送信用ＩＰ放送装置は、同一音源の音声パケットにマルチキャスト・アドレスを設定した単一のＩＰパケットをＩＰ網に送信し、複数の受信用ＩＰ放送装置は、ＩＰ網から供給される単一のＩＰパケットを受信し、一斉放送管理装置は、一斉放送用の音声パスを設定する構成情報を出力し、送信用ＩＰ放送装置と受信用ＩＰ放送装置相互間の音声パスの接続／切断をダイナミックに制御するので、ＩＰパケットの占める回線帯域を狭くするとともに、必要に応じて音声パスの帯域を有効利用することができ、システムを低コストで構築するとともに、システムの拡張性を高めることができる。
【０１１５】
さらに、この発明に係るＩＰ放送装置は、同一音源の音声パケットにユニキャスト・アドレスを設定し、複数のＩＰパケット、またはマルチキャスト・アドレスを設定し、単一のＩＰパケットをＩＰ網に送信するので、ＩＰ網や受信側の状態に応じてユニキャスト・アドレスまたはマルチキャスト・アドレスを設定することができ、使い勝手の自由度を広くすることができる。
【０１１６】
また、この発明に係るＩＰ放送装置は、一斉放送管理装置から供給される一斉放送用の音声パスを設定する構成情報に基づいてＩＰ装置相互間に音声パスをスタティックまたはダイナミックに接続するので、必要に応じて音声パスを常時（スタティック）接続状態に設定し、あるいは接続／切断（ダイナミック）状態に設定して、音声パスを固定したり、音声パスの帯域を有効利用することができ、利便性の向上を図ることができる。
【０１１７】
さらに、この発明に係るＩＰ放送装置は、ＬＡＮとのインタフェースを取るＬＡＮインタフェース手段、ＴＣＰプロトコルの生成／解析処理をするプロトコル処理手段、音声パスのオープン／クローズの制御をするとともに、データのゆらぎを制御するＲＴＰ／ジッタ制御手段、一斉放送管理装置とのインタフェースを取る一斉放送制御手段、音声データを圧縮／伸長する音声圧縮・伸長手段、音声パスをスタティックに設定するＭＭＩ手段を備えたので、一斉放送用の音声パケットにユニキャスト・アドレスまたはマルチキャスト・アドレスを設定したＩＰパケットを送信するとともに、音声パスを固定（スタティック）または接続／切断を任意（ダイナミック）に設定することができ、利便性の向上を図ることができる。
【図面の簡単な説明】
【図１】この発明に係る一斉放送システムの一実施の形態基本ブロック構成図
【図２】この発明に係る一斉放送システムの別実施の形態基本ブロック構成図
【図３】この発明に係る一斉放送システムの接続構成図
【図４】この発明に係る一斉放送システムのユニキャストフレームを用いた一斉放送のイメージ図
【図５】この発明に係る一斉放送システムのマルチキャストフレームを用いた一斉放送のイメージ図
【図６】この発明に係る一斉放送の一実施の形態通信シーケンス図
【図７】この発明に係るＩＰ放送装置の一実施の形態要部ブロック構成図
【図８】この発明に係るＩＰ放送装置とパーソナルコンピュータをハブ装置に収容した実施の形態構成図
【図９】この発明に係る一斉放送の音声パス生成方法の一実施の形態動作フロー図
【図１０】ＩＰ網を用いた従来の一斉放送システムの接続構成図
【符号の説明】
１，１ａ  一斉放送システム
２，２ａ，８ａ，８ｂ，８ｃ  放送装置
３，３ａ，７ａ，７ｂ，７ｃ  ＩＰ放送装置
４  管理端末
５  網監視装置
６  一斉放送管理装置
９  ＬＡＮインタフェース手段
１０  プロトコル処理手段
１１  ＲＴＰ／ジッタ制御手段
１２  一斉放送制御手段
１３  音声圧縮・伸長手段
１４  ＳＮＭＰエージェント
１５  ＭＭＩ手段
１６  構成情報発生手段
Ｕ１，Ｕ２，Ｕ３  ユニキャスト・アドレス
Ｍ  マルチキャスト・アドレス
ＪＳ    スタティック構成情報
ＪＤ    ダイナミック構成情報
【図１】
2004241994.tif 000003
【図２】
2004241994.tif 000004
【図３】
2004241994.tif 000005
【図４】
2004241994.tif 000006
【図５】
2004241994.tif 000007
【図６】
2004241994.tif 000008
【図７】
2004241994.tif 000009
【図８】
2004241994.tif 000010
【図９】
2004241994.tif 000011
【図１０】
2004241994.tif 000012